(57)【要約】【課題】屋根側端部に破風板を取り付けるにあたり、簡易な作業により破風板を確実に取り付けることができ、取り付けられた破風板の表面に波打ちが生じない構造とする。【解決手段】屋根側端部に固定された唐草の内側面に沿って破風板上端部との係合部を有する捨て水切り板を取り付け、唐草の上面に沿って唐草と略同幅に形成された登り桟を取り付け、屋根側端部の側面には面ファスナを取り付けるとともに当該面ファスナと噛み合う面ファスナを破風板裏面に取り付け、上下端部を屋根側端部の上方と下方に押し入れた破風板を前記面ファスナ同士を噛み合わせて屋根側端部に支持させ、その状態で破風板の上端部を捨て水切り板の係合部に固定し、下端部を屋根側端部下面に固定する。【選択図】図１
2006089973.tif 000002
【特許請求の範囲】
【請求項１】
屋根側端部を棟側から軒側に亘って覆う略コ字状の断面形状を呈する破風板を取り付ける構造において、
屋根側端部に固定された唐草の内側面に沿って破風板上端部との係合部を有する捨て水切り板を取り付け、唐草の上面に沿って唐草と略同幅に形成された登り桟を取り付け、屋根側端部の側面には面ファスナを取り付けるとともに当該面ファスナと噛み合う面ファスナを破風板裏面に取り付け、
上下端部を屋根側端部の上方と下方に押し入れた破風板を前記面ファスナ同士を噛み合わせて屋根側端部に支持させ、その状態で破風板の上端部を捨て水切り板の係合部に固定し、下端部を屋根側端部下面に固定することを特徴とする破風板の取り付け構造。
【発明の詳細な説明】
【技術分野】
【０００１】
本発明は、屋根のケラバに取り付けて破風を構成する破風板の取り付け構造に関する。
【背景技術】
【０００２】
家屋の切妻屋根廻りの造作において、妻側端部を装飾するため、屋根側端部に沿って、鋼板を破風板状に折り曲げてなる破風板を取り付けることがある。従来、破風板の取り付けは、例えば図９に示されるように、屋根側端部１００に固定された唐草１０１の内側面に沿って捨て水切り板１０２を取り付け（同図（Ａ））、屋根側端部１００の側面に複数のブラケット１０３を互いに適宜な間隔を開けて取り付けた後（同図（Ｂ））、破風板１０４を屋根側端部１００の側面側から押し入れてその上下端部を捨て水切り板１０２の上端部とブラケット１０３の下端部にそれぞれ係合させ、上端部１０４ａの捨て水切り板１０２との係合部位をビス留めし、屋根側端部１００の下面に接合した下端部１０４ｂを釘打ちで固定し、さらに破風板１０４の側面に設けた凹所１０４ｃ内にもビスを打ち込んで破風板９４を屋根側端部表面に一体に固定する工程により行われていた（例えば特許文献１参照）。
【０００３】
【特許文献１】特開２００２−２４２３９４号公報
【発明の開示】
【発明が解決しようとする課題】
【０００４】
破風板１０４を取り付ける従来の工程では、破風板１０４を支持するブラケット１０３を複数個、屋根側端部１００に沿って取り付けなければならず、さらに破風板１０４をブラケット１０３で支持させた状態でその上下両端部と側面部の三面にビスと釘を打ち込んで固定しているため、部材を固定する作業工数が多く、取り付けに手間を要するという問題があった。
また、ブラケット１０３は、破風板１０４の屈曲形状に沿って形成されており、破風板１０４を取り付けたときに、ブラケット１０３の表面が破風板１０４の裏面にぴったりと密着して破風板１０４を裏面から押圧した状態となるため、破風板１０４の表面は、ブラケット１０３が重なる部分は僅かに盛り上がり、ブラケット１０３が重ならない間の部分ではそれよりも凹んで波打ち、さらに破風板側面部がビスで屋根側端部１００に一体に固着してあるため、夏季の高温度下で破風板１０４が熱伸張したときにも破風板１０４の表面に波打ちが生じることがあり、却って屋根側端部１００の見栄えが悪くなることがあった。
【０００５】
本発明は従来技術の有するこのような問題点に鑑み、屋根側端部に破風板を取り付けるにあたり、簡易な作業により破風板を確実に取り付けることができ、取り付けられた破風板の表面に波打ちが生じることのない構造とすることを課題とする。
【課題を解決するための手段】
【０００６】
前記課題を解決するため本発明は、屋根側端部を棟側から軒側に亘って覆う略コ字状の断面形状を呈する破風板を取り付ける構造において、屋根側端部に固定された唐草の内側面に沿って破風板上端部との係合部を有する捨て水切り板を取り付け、唐草の上面に沿って唐草と略同幅に形成された登り桟を取り付け、屋根側端部の側面には面ファスナを取り付けるとともに当該面ファスナと噛み合う面ファスナを破風板裏面に取り付け、上下端部を屋根側端部の上方と下方に押し入れた破風板を前記面ファスナ同士を噛み合わせて屋根側端部に支持させ、その状態で破風板の上端部を捨て水切り板の係合部に固定し、下端部を屋根側端部下面に固定することを特徴としている。
【０００７】
屋根側端部と破風板裏面の面ファスナの取り付け位置は、面ファスナ同士が噛み合って破風板が屋根側端部に支持された状態で、破風板裏面と屋根側端部の表面部、登り桟の表面部及び水切り板の上面部とに隙間が僅かにできる位置とするのが好ましい。
【０００８】
本発明によれば、登り桟を唐草の上面に取り付けた後、破風板の上端部を捨て水切り板に係合させ、破風板をその裏面を登り桟の上面に当てながら下方へ回転させて屋根側端部の下側に下端部を押し込むことにより、破風板が屋根側端部に組み付けられる。組み付けた破風板は、その裏面の面ファスナを屋根側端部側面の面ファスナに結合させることにより支持され、破風板上端部を捨て水切り板の係合部にビス留めなどにより固定し、さらに屋根側端部下面に接合した下端部を釘打ちなどにより固定して屋根側端部に一体に取り付けられる。
【０００９】
破風板は面ファスナ同士の結合によって屋根側端部に支持されるので、従来の如き破風板の裏面側に係合してこれを支持する複数のブラケットは不要であり、また、面ファスナ同士の結合力はビス留めよりも弱いため、破風板が熱により伸縮したときに面ファスナの結合部に加わる応力をファスナ同士の噛み合いの変形或いは噛み合った面ファスナ間の伸縮によって吸収し、破風板表面が波打つことを防止する。また、破風板を面ファスナの結合によって屋根側端部に支持させた状態で、破風板裏面に屋根側端部の表面部や登り桟の表面部との間に僅かな隙間ができるように設定しておけば、破風板を取り付けたときに破風板を裏面から押圧するような部材がなくなり、破風板裏面側で部材との重なり合いによって生じていた破風板表面の波打ちを防止する。
【発明を実施するための最良の形態】
【００１０】
本発明の好適な一実施形態を図面を参照して説明する。
図１は本発明により破風板を取り付けた屋根側端部の断面図、図２は破風板の一実施形態の要部外観図、図３は登り桟の一実施形態の要部外観図、図４は登り桟を取り付ける手順を説明するための屋根側端部外観図、図５は登り桟を固定する手順を説明するための屋根側端部の外観図と断面図、図６は破風板を取り付ける手順を説明するための屋根側端部外観図、図７は破風板を屋根側端部に組み付ける手順を説明するため屋根側端部断面図、図８は破風板を屋根側端部に固定する手順を説明するため屋根側端部の外観図と断面図である。
【００１１】
図示した形態は、スレート屋根妻側の端部に沿って破風構成体を取り付け、その棟側から軒側に至るケラバが幅広の破風板で覆われように構成したものである。図１に示されるように、破風構成体１は、破風板２、捨て水切り板３及び登り桟４を主要素として構成されている。これら部材は、例えば表面を塩化ビニル樹脂で被覆した鋼材その他の不銹鋼材を用いて形成される。なお、同図において、符号８は屋根側端部、９は唐草、１０はスレート、１１は軒天材である。
【００１２】
破風板２は、屋根側端部８の軒側に取り付けられる破風板２Ａと棟側に取り付けられる破風板２Ｂにより構成され、それぞれ屋根側端部８の表面を覆う幅を有する長尺鋼板をその長手方向に沿って折り曲げて中空枠状に形成してある。
詳しくは、図２に示されるように、破風板２は屋根側端部８の上方を覆う上部被覆面２１と、側方を覆う側部被覆面２２と、下方を被覆する下部被覆面２３とを有し、側部被覆面２２と対向する上下被覆面間を開口部２４とした略コ字状の断面形状を有して形成されている。上部被覆面２１の端部には下方へ折れた下折れ部２１ａが連なり、この下折れ部２１ａの縁部には内側に折り返した係合部２１ｂを設けてある。また、下部被覆面２３の端部には上方へ折れた上折れ部２３ａが連なり、この上折れ部２３ａの縁部には下部被覆面２３と平行に外方へ延びた折返部２３ｂを設けてある。さらに側部被覆面２２の上下両縁から略等間隔離れた面内には、長手方向に連続して平行に延びた一対の裏面側に凹んだ凹筋２２ａ、２２ａを設けてある。また、破風板２の棟側の端部には継手部２５が一体に設けてある（図６参照）。なお、軒側の破風板２Ａは、その軒側端部を閉塞して形成されるが、本形態ではその図示を省略する。
【００１３】
捨て水切り板３は、長尺鋼板をその長手方向に沿って略Ｌ字形に折り曲げてなり、図１及び図５に示されるように、屋根側端部８の上面に載る下面部３１の一端に唐草９よりも高く側面部３２を立ち上げ、その側面部３２の上端に下面部３１と平行に折れた上面部３３を連ね、さらに上面部３３の端部を下方に折れた折れ部３４として形成してある。
【００１４】
登り桟４は、屋根側端部８の棟から軒に至る長さを有し、唐草９の上面と略同じ幅の長尺な枠状に形成されている。
詳しくは、登り桟４は鋼板を折り曲げてなり、図３に示されるように、唐草９の上面に一杯に重なる下面部４１の一端に側面部４２を直角に立ち上げ、その側面部４２の上端に下面部４１と平行に折れて上面部４３を連ね、上面部４３の端部を下方に折れた折れ部４４とし、さらに下面部４１の他端にも下方に折れた折れ部４５を設けて形成してある。下面部４１と上面部４３は唐草９と略同じ幅に設けられ、側面部４２は、唐草９上に登り桟４を固定したときに上面部４３が前記捨て水切り板３の上面部３３と面一となる高さに設けてある。また、上面部４３には長手方向に沿って適宜な間隔を開けて切欠き部４３ａが複数形成されており、各切欠き部直下の底面部４１にはネジなどの固着具５を挿通するための通孔４１ａを各々形成してある。
【００１５】
これらの部材からなる破風構成体１は以下の手順で屋根側端部８に取り付けられる。なお、予め屋根側端部８の上面に沿って唐草９を載せ、その上面に固着具である釘５を打ち込んで固定するとともに、唐草９を含む屋根の表面を耐水シートで覆って防水処理を施し、スレート１０が載る屋根上面には耐水シートを重ねてルーフィングを敷設しておく。
【００１６】
先ず、捨て水切り板３を唐草９に沿って取り付ける。取り付けは、捨て水切り板３の側面部３２を唐草９の内側面に押し当てるとともに、下面部３１の縁部を吊り子６に係合させて釘５で固定して行ない、軒側の捨て水切り板３を固定したならば、その端部に棟側の捨て水切り板３の端部を継ぎ合わせて、唐草９に沿って順次固定する。端部継ぎ合わせ面には防水のためシーリング材が塗布される。
【００１７】
唐草９の内側面に沿って捨て水切り板３を取り付けたならば、唐草９の上面に沿って登り桟４を取り付ける。登り桟４の取り付けは、図４及び図５に示されるように、先ず登り桟４を唐草９の上面に載せて軒側先端部分同士を位置合わせし、次いで軒側から棟側に向かい順次切欠け部４３ａの上方から通孔４１ａに固着具であるネジ５をねじ入れて唐草９の上面に固定して行われる。
【００１８】
唐草９の上面への登り桟４の取り付けが完了したならば、破風板２を取り付ける前処理として、屋根側端部８の側面と破風板２の側部被覆面２２の裏面とに面ファスナ７を取り付ける。
両部材に取り付ける面ファスナ７は、表面に鉤状の突起物を配列した面ファスナ７Ａと表面をパイル状の面とした対応の面ファスナ７Ｂとを噛み合わせたときの厚みが、破風板２に形成された凹筋２２ａ、２２ａの裏面側への突出高さと略同じとなる構成のものが選定され、面ファスナ７Ａは屋根側端部８の側面に軒側から棟側に亘り複数個が所定の間隔を開けてネジ留めされ、面ファスナ７Ｂは面ファスナ７Ａと同数が位置対応させて、破風板２の側部被覆面２２の裏面に接着剤などで固着される（図６、図７参照）。
面ファスナ７Ａと面ファスナ７Ｂは、破風板２を屋根側端部８の外側に嵌め入れたときに互いに噛み合う対応位置であって、面ファスナ同士が噛み合って破風板２が屋根側端部８に支持された状態で、図１に示されるように、破風板２の裏面と屋根側端部８の表面部、登り桟４の表面部及び水切り板３の上面部３３とに隙間Ｓが僅かにできる位置に取り付けてある。
【００１９】
面ファスナ７を所定の位置に取り付けたならば破風板２を取り付ける。破風板２の取り付けは、軒側破風板２Ａから行ない、破風板２の上部を捨て水切り板３に引っ掛けて回転するように押さえながら組み付ける。なお、軒側の破風板２Ａを取り付けた後、棟側の破風板２Ｂを取り付けるときには、図６に示されるように、軒側破風板２Ａの継手部２５を釘５で固定し、継手部２５の表面にコーキング材を塗布してから棟側破風板２Ｂを重ね合わせようにする。
【００２０】
詳しくは、破風板２の取り付けは、図７に示されるように、先ず、上部被覆面２１端部の下折れ部２１ａを捨て水切り板３の上面部３３に被せ、縁部の係合部２１ｂを折れ部３４に係合させ、この係合部を軸として破風板２が回転するように破風板２の下部に屋根側へ引っ張る力を加える。すると、破風板２の側部被覆面２２の裏面が登り桟４の上部に当たるため、破風板２の下部を引っ張る力によって下部被覆面２３が開き、下部被覆面２３は屋根側端部８の下側に入り込み、破風板２はその側部被覆面２２が屋根側端部８の側面と平行となるように配される。
この状態で、破風板２の側部被覆面２２の表面を屋根側に軽く押せば、面ファスナ７Ａ、７Ｂが噛み合って結合し、破風板２が屋根側端部８に支持されて組み付け位置に固定される。
そして、図８に示されるように、係合して重なった破風板上部被覆面２２の下折れ部２１ａと捨て水切り板３の折れ部３４をビス５で一体に留め付けて破風板２の上端部を固定し、また、屋根側端部８の下面に接合した破風板２の折返部２３ｂに釘５を打ち付けて破風板２の下端部を固定することより破風板２が屋根側端部８に一体に固定される。さらに図１に示されるように、屋根側端部８の下面には折返部２３ｂを覆うようにして軒天材１１を取り付け、屋根の上面にはスレート１０を載せて屋根側端部廻りの造作が完了する。
【００２１】
屋根側端部８に固定された破風板２は、図１に示されるように、屋根側端部８の表面部、登り桟４の表面部及び捨て水切り板３の上面部３３との間に隙間Ｓを挟んで支持されるため、破風板裏面に部材が密に重なり合うことにより破風板表面に波打ちが生じる虞れはなく、また、破風板２が熱伸縮した場合に、破風板２と屋根側端部８との接続部に加わる応力を、面ファスナ７Ａ、７Ｂの結合部において吸収することができ、破風板３の表面が凹凸変形することを防止する。
【００２２】
なお、図示した破風構成体の形態とその取り付け工程は一例であり、本発明は図示した形態に限定されず、他の適宜な形態で破風構成体を構成し、任意の手順で取り付けることが可能である。
【図面の簡単な説明】
【００２３】
【図１】本発明の一実施形態の破風板を取り付けた屋根側端部の断面図である。
【図２】図１の破風板の要部外観図である。
【図３】図１の登り桟の要部外観図である。
【図４】登り桟を取り付ける手順を説明するための屋根側端部外観図である。
【図５】登り桟を固定する手順を説明するための屋根側端部の外観図と断面図である。
【図６】破風板を取り付ける手順を説明するための屋根側端部外観図である。
【図７】破風板を屋根側端部に組み付ける手順を説明するため屋根側端部断面図である。
【図８】破風板を屋根側端部に固定する手順を説明するため屋根側端部の外観図と断面図である。
【図９】（Ａ）〜（Ｃ）は破風板を取り付ける従来の工程を説明するための図である。
【符号の説明】
【００２４】
１  破風構成体、２  破風板、３  捨て水切り板、４  登り桟、５  固着具（ビス、ネジ、釘）、６  吊り子、７  面ファスナ、８  屋根側端部、９  唐草、１０  スレート、１１  軒天材
【図１】
2006089973.tif 000003
【図２】
2006089973.tif 000004
【図３】
2006089973.tif 000005
【図４】
2006089973.tif 000006
【図５】
2006089973.tif 000007
【図６】
2006089973.tif 000008
【図７】
2006089973.tif 000009
【図８】
2006089973.tif 000010
【図９】
2006089973.tif 000011